(57)【要約】  本願の実施例は、パラメータ構成方法及び関連製品を開示し、ネットワークデバイスが位相トラッキング参照信号ＰＴ−ＲＳの予め設定されたパラメータを端末に指示することを含み、ＰＴ−ＲＳの予め設定されたパラメータは、端末の帯域幅部分ＢＷＰに対して構成されたものであり、予め設定されたパラメータは、端末がＢＷＰにおいてＰＴ−ＲＳを送信する時に使用されるリソース情報を示す。本願の実施例は、ＰＴ−ＲＳによるＢＷＰの構成の柔軟性を高める上で有利となる。
2021515437.tif 000002
【特許請求の範囲】
【請求項１】
ネットワークデバイスが位相トラッキング参照信号ＰＴ−ＲＳの予め設定されたパラメータを端末に指示することを含み、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とするパラメータ構成方法。
【請求項２】
前記予め設定されたパラメータが１つ以上であり、各予め設定されたパラメータが１つ以上のＢＷＰが対応する
ことを特徴とする請求項１に記載のパラメータ構成方法。
【請求項３】
前記ＰＴ−ＲＳは、下りＤＬ ＰＴ−ＲＳ又は上りＵＬ ＰＴ−ＲＳを含む
ことを特徴とする請求項１又は２に記載のパラメータ構成方法。
【請求項４】
前記予め設定されたパラメータが少なくとも１つのリソースブロックＲＢオフセットパラメータを含み、前記少なくとも１つのリソースブロックＲＢオフセットパラメータは、前記端末が前記ＢＷＰにおいて前記ＰＴ−ＲＳを送信する時に使用される物理リソースブロックＰＲＢ位置を示す
ことを特徴とする請求項１〜３のいずれか１項に記載のパラメータ構成方法。
【請求項５】
前記予め設定されたパラメータが少なくとも１つのリソースユニットＲＥオフセットパラメータを含み、前記少なくとも１つのＲＥオフセットパラメータは、前記端末が前記ＢＷＰにおいて前記ＰＴ−ＲＳを送信する時に使用されるＲＥ位置を示す
ことを特徴とする請求項１〜３のいずれか１項に記載のパラメータ構成方法。
【請求項６】
前記予め設定されたパラメータが少なくとも１つの電力オフセットパラメータを含み、前記少なくとも１つの電力オフセットパラメータは、前記端末が前記ＢＷＰにおいて前記ＰＴ−ＲＳを送信する時の電力を示す
ことを特徴とする請求項１〜３のいずれか１項に記載のパラメータ構成方法。
【請求項７】
前記ネットワークデバイスは、端末が離散フーリエ変換を用いた拡張直交周波数分割多重技術ＤＦＴ−Ｓ−ＯＦＤＭ方式を使用するように構成し、前記ＰＴ−ＲＳが上りＵＬ ＰＴ−ＲＳである
ことを特徴とする請求項１又は２に記載のパラメータ構成方法。
【請求項８】
前記予め設定されたパラメータが時間領域密度を含み、前記時間領域密度は、前記端末が前記ＢＷＰにおいて前記ＰＴ−ＲＳを送信する時の時間領域位置を決定するために使用される
ことを特徴とする請求項７に記載のパラメータ構成方法。
【請求項９】
端末がネットワークデバイスからの位相トラッキング参照信号ＰＴ−ＲＳの予め設定されたパラメータを受信することを含み、
前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とするパラメータ構成方法。
【請求項１０】
前記予め設定されたパラメータが１つ以上であり、各予め設定されたパラメータが１つ以上のＢＷＰが対応する
ことを特徴とする請求項９に記載のパラメータ構成方法。
【請求項１１】
前記ＰＴ−ＲＳは、下りＤＬ ＰＴ−ＲＳ又は上りＵＬ ＰＴ−ＲＳを含む
ことを特徴とする請求項９又は１０に記載のパラメータ構成方法。
【請求項１２】
前記予め設定されたパラメータが少なくとも１つのリソースブロックＲＢオフセットパラメータを含み、前記方法は、さらに、
前記端末が前記少なくとも１つのＲＢオフセットパラメータに基づいて、前記ＢＷＰにおいて前記ＰＴ−ＲＳを送信する時に使用される物理リソースブロックＰＲＢ位置を決定することを含む
ことを特徴とする請求項９〜１１のいずれか１項に記載のパラメータ構成方法。
【請求項１３】
前記予め設定されたパラメータが少なくとも１つのリソースユニットＲＥオフセットパラメータを含み、前記方法は、さらに、
前記端末が前記少なくとも１つのＲＥオフセットパラメータに基づいて、前記ＢＷＰにおいて前記ＰＴ−ＲＳを送信する時に使用されるＲＥ位置を決定することを含む
ことを特徴とする請求項９〜１１のいずれか１項に記載のパラメータ構成方法。
【請求項１４】
前記予め設定されたパラメータが少なくとも１つの電力オフセットパラメータを含み、前記方法は、さらに、
前記端末が前記少なくとも１つの電力オフセットパラメータに基づいて、前記ＢＷＰにおいて前記ＰＴ−ＲＳを送信する時の電力を決定することを含む
ことを特徴とする請求項９〜１１のいずれか１項に記載のパラメータ構成方法。
【請求項１５】
前記端末が離散フーリエ変換を用いた拡張直交周波数分割多重技術ＤＦＴ−Ｓ−ＯＦＤＭ方式を使用し、前記ＰＴ−ＲＳが上りＵＬ ＰＴ−ＲＳである
ことを特徴とする請求項９又は１０に記載のパラメータ構成方法。
【請求項１６】
前記予め設定されたパラメータが時間領域密度を含み、前記方法は、さらに、
前記端末が前記時間領域密度に基づいて、前記ＢＷＰにおいて前記ＰＴ−ＲＳを送信する時の時間領域位置を決定することを含む
ことを特徴とする請求項１５に記載のパラメータ構成方法。
【請求項１７】
処理ユニットと通信ユニットとを備えるネットワークデバイスであって、
前記処理ユニットは、前記通信ユニットを介して位相トラッキング参照信号ＰＴ−ＲＳの予め設定されたパラメータを端末に指示するように構成され、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とするネットワークデバイス。
【請求項１８】
処理ユニットと通信ユニットとを備える端末であって、
前記処理ユニットは、前記通信ユニットを介してネットワークデバイスからの位相トラッキング参照信号ＰＴ−ＲＳの予め設定されたパラメータを受信するように構成され、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とする端末。
【請求項１９】
プロセッサと、メモリと、送受信機と、１つ以上のプログラムとを備え、前記１つ以上のプログラムは、前記メモリに記憶され、前記プロセッサによって実行され、前記プログラムは、請求項１〜８のいずれか１項に記載の方法におけるステップを実行するための命令を含む
ことを特徴とするネットワークデバイス。
【請求項２０】
プロセッサと、メモリと、通信インターフェースと、１つ以上のプログラムとを備え、前記１つ以上のプログラムは、前記メモリに記憶され、前記プロセッサによって実行され、前記プログラムは、請求項９〜１６のいずれか１項に記載の方法におけるステップを実行するための命令を含む
ことを特徴とする端末。
【請求項２１】
電子データ交換のためのコンピュータプログラムを記憶し、前記コンピュータプログラムは、コンピュータに、請求項１から８のいずれか一項に記載の方法を実行させる
ことを特徴とするコンピュータ可読記憶媒体。
【請求項２２】
電子データ交換のためのコンピュータプログラムを記憶し、前記コンピュータプログラムは、コンピュータに、請求項９から１６のいずれか一項に記載の方法を実行させる
ことを特徴とするコンピュータ可読記憶媒体
【発明の詳細な説明】
【技術分野】
【０００１】
本願は、通信技術分野に関し、特に、パラメータ構成方法及び関連製品に関する。
【背景技術】
【０００２】
新しいラジオ( ＮＲ、Ｎｅｗ ｒａｄｉｏ )では、１つのキャリアが複数の帯域幅部分( Ｂａｎｄｗｉｄｔｈ Ｐａｒｔ、ＢＷＰ )を含み得る。端末にとっては、上り伝送のために、１つの時点で１つの上りＢＷＰのみを活性化することができる。同様に、下り伝送のために、１つの時点で１つの下りＢＷＰのみを活性化することができる。端末が現在どのＢＷＰを活性化しているかは、下り制御情報( Ｄｏｗｎｌｉｎｋ Ｃｏｎｔｒｏｌ Ｉｎｆｏｒｍａｔｉｏｎ、ＤＣＩ )等で指示され、端末の伝送に用いるＢＷＰは、１つのキャリア内の複数のＢＷＰで動的に切り替えることができる。端末を如何に効率的に異なるＢＷＰで伝送するように構成されるかは、解決すべき技術的課題である。
【発明の概要】
【０００３】
本願の実施例は、ＰＴ−ＲＳによりＢＷＰが構成される柔軟性を高めるのに有利なパラメータ構成方法及び関連する製品を提供する。
【０００４】
第１の態様として、本願の実施例はパラメータ構成方法を提供し、
ネットワークデバイスが位相トラッキング参照信号ＰＴ−ＲＳの予め設定されたパラメータを端末に指示することを含み、前記ＰＴ−ＲＳの予め設定されたパラメータは、前記端末の帯域幅部分ＢＷＰに対して設定されたものであり、前記予め設定されたパラメータは、前記端末が前記ＢＷＰにおいて前記ＰＴ−ＲＳを送信する時に使用される必要があるリソース情報を示す。
【０００５】
第２の態様として、本願の実施例はパラメータ構成方法を提供し、
端末がネットワークデバイスからの位相トラッキング参照信号ＰＴ−ＲＳの予め設定されたパラメータを受信することを含み、前記ＰＴ−ＲＳの予め設定されたパラメータは、前記端末の帯域幅部分ＢＷＰに対して設定されたものであり、前記予め設定されたパラメータは、前記端末が前記ＢＷＰにおいて前記ＰＴ−ＲＳを送信する時に使用される必要があるリソース情報を示す。
【０００６】
第３の態様として、本願の実施例は、上記の方法設計における第１のネットワークデバイスの動作を実現する機能を有するネットワークデバイスを提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、ネットワークデバイスは、上記の方法のそれぞれの機能を実行するようにネットワークデバイスをサポートするように構成されたプロセッサを含む。さらに、ネットワークデバイスは、ネットワークデバイスと端末との間の通信をサポートするための送受信機をさらに含み得る。さらに、ネットワークデバイスは、ネットワークデバイスに必要なプログラム命令及びデータを保持しプロセッサと結合するためのメモリをさらに含み得る。
【０００７】
第４の態様として、本願の実施例は、上記方法の設計における端末の動作を実現する機能を有する端末を提供する。これらの機能は、ハードウェアで実現してもよいし、対応するソフトウェアをハードウェアで実行することで実現してもよい。ハードウェア又はソフトウェアは、上述の機能に対応する１つ以上のモジュールを含む。１つの可能な設計では、端末は、上記の方法のそれぞれの機能を実行するように端末をサポートするように構成されたプロセッサを含む。さらに、端末は、端末とネットワークデバイスとの間の通信をサポートするための送受信機をさらに含み得る。端末は、さらに、端末に必要なプログラム命令およびデータを保持し、プロセッサと結合するためのメモリをさらに含むことができる。
【０００８】
第５の態様として、本願の実施例は、プロセッサと、メモリと、送受信機と、１つまたは複数のプログラムとを備えるネットワークデバイスを提供し、１つまたは複数のプログラムは、メモリに記憶され、プロセッサによって実行されるように構成され、プログラムは、本願の実施例の第１の態様のいずれかの方法のステップを実行するための命令を含む。
【０００９】
第６の態様として、本願の実施例は、プロセッサと、メモリと、通信インターフェースと、１つまたは複数のプログラムとを含む端末を提供し、１つまたは複数のプログラムは、メモリに記憶され、プロセッサによって実行されるように構成され、プログラムは、本願の実施例の第２の態様のいずれかの方法のステップを実行するための命令を含む。
【００１０】
第７の態様として、本願の実施例は、電子データ交換のためのコンピュータプログラムを記憶するコンピュータ可読記憶媒体を提供し、コンピュータプログラムは、本願の実施例の第１の態様のいずれかに記載のステップの一部又は全部をコンピュータに実行させる。
【００１１】
第８の態様として、本願の実施例は、電子データ交換のためのコンピュータプログラムを記憶するコンピュータ可読記憶媒体を提供し、コンピュータプログラムは、本願の実施例の第２の態様のいずれかに記載のステップの一部又は全部をコンピュータに実行させる。
【００１２】
第９の態様として、本願の実施例は、コンピュータプログラムを記憶する非一時的コンピュータ可読記憶媒体を備えるコンピュータプログラム製品を提供し、コンピュータプログラムは、本願の実施例の第１の態様のいずれか１つに記載のステップの一部または全部をコンピュータに実行させるように動作可能である。前記コンピュータプログラムは、ソフトウェアのインストールパッケージであってもよい。
【００１３】
第１０の態様として、本願の実施例は、コンピュータプログラムを記憶する非一時的コンピュータ可読記憶媒体を備えるコンピュータプログラム製品を提供し、コンピュータプログラムは、本願の実施例の第２の態様のいずれか１つに記載のステップの一部または全部をコンピュータに実行させるように動作可能である。前記コンピュータプログラムは、ソフトウェアのインストールパッケージであってもよい。
【００１４】
このように、本願の実施例では、ネットワークデバイスが位相トラッキング参照信号ＰＴ−ＲＳの予め設定されたパラメータを端末に指示し、ＰＴ−ＲＳの予め設定されたパラメータは、端末の帯域幅部分ＢＷＰに構成されたものであり、予め設定されたパラメータは、端末がＢＷＰにおいてＰＴ−ＲＳを送信する時に使用されるリソース情報を示す。予め設定されたパラメータにより、端末がＢＷＰでＰＴ−ＲＳを送信する際に使用するリソース情報を決定することができるため、端末は、ＢＷＰを切り替える際に、使用するＢＷＰに対応するＰＴ−ＲＳの予め設定されたパラメータを取得するだけで、ＰＴ−ＲＳを送信する際に使用するリソース情報を柔軟に決定することができ、ＰＴ−ＲＳによるＢＷＰの構成の柔軟性を高める上で有利となる。
【図面の簡単な説明】
【００１５】
以下、本願の実施例について図面を参照して説明する。
【図１】本願の実施例におけるデータ複製機能をサポートするデュアルコネクティビティ伝送モードのプロトコルアーキテクチャの例を示す図である。
【図２】本願の実施例におけるパラメータ構成方法のフローチャートである。
【図３】本願の実施例におけるパラメータ構成方法のフローチャートである。
【図４】本願の実施例におけるパラメータ構成方法のフローチャートである。
【図５】本願の実施例におけるネットワークデバイスの構成図である。
【図６】本願の実施例における端末の構成図である。
【図７】本願の実施例におけるネットワークデバイスの構成図である。
【図８】本願の実施例における端末の構成図である。
【発明を実施するための形態】
【００１６】
以下、本願の実施の形態について図面を参照して説明する。
【００１７】
図１は、本願に係る無線通信システムを示している。無線通信システムは、高周波数帯域で動作してもよく、将来進化する第５世代移動通信( ｔｈｅ５ ｔｈ Ｇｅｎｅｒａｔｉｏｎ、５Ｇ )システム、新しいラジオ( ＮＲ )システム、マシンツーマシン通信( Ｍａｃｈｉｎｅ ｔｏ Ｍａｃｈｉｎｅ、Ｍ２Ｍ )システムなどであってもよい。図示するように、無線通信システム１００は、１以上のネットワークデバイス１０１と、１以上の端末１０３と、コアネットワークデバイス１０５と、を含みうる。ここで、ネットワークデバイス１０１は、１以上の端末と通信するための基地局であってもよいし、一部の端末の機能を有する１以上の基地局(例えば、マクロ基地局とアクセスポイント等のマイクロ基地局との間の通信)と通信するための基地局であってもよい。基地局は、時分割同期符号分割多重アクセス( Ｔｉｍｅ Ｄｉｖｉｓｉｏｎ Ｓｙｎｃｈｒｏｎｏｕｓ Ｃｏｄｅ Ｄｉｖｉｓｉｏｎ Ｍｕｌｔｉｐｌｅ Ａｃｃｅｓｓ、ＴＤ−ＳＣＤＭＡ )システムにおける基地局送受信機( Ｂａｓｅ Ｔｒａｎｓｃｅｉｖｅｒ Ｓｔａｔｉｏｎ、ＢＴＳ )であってもよいし、ＬＴＥシステムにおける発展型基地局( Ｅｖｏｌｕｔｉｏｎａｌ Ｎｏｄｅ Ｂ、ｅＮＢ )であってもよいし、５Ｇシステム、新ラジオ( ＮＲ )システムにおける基地局であってもよい。また、基地局は、アクセスポイント( Ａｃｃｅｓｓ Ｐｏｉｎｔ、ＡＰ )、トランスポートノード( Ｔｒａｎｓ ＴＲＰ )、セントラルユニット( Ｃｅｎｔｒａｌ Ｕｎｉｔ、ＣＵ )、または他のネットワークエンティティであってもよく、上記ネットワークエンティティの機能の一部または全部を含んでもよい。コアネットワークデバイス１０５は、サービングゲートウェイ( Ｓｅｒｖｉｎｇ ＧａｔｅＷａｙ、ＳＧＷ )などのコアネットワーク側の装置を含む。端末１０３は、無線通信システム１００全体に分散していてもよいし、静止していてもよいし、移動していてもよい。本願のいくつかの実施例において、端末１０３は、モバイルデバイス(例えば、スマートフォン)、移動局( ｍｏｂｉｌｅ ｓｔａｔｉｏｎ )、モバイルユニット( ｍｏｂｉｌｅ ｕｎｉｔ )、Ｍ２Ｍ端末、ワイヤレスユニット、リモートユニット、ユーザエージェント、モバイルクライアント等であり得る。
【００１８】
なお、図１に示す無線通信システム１００は、本願の技術的解決策をより明確に説明するためのものに過ぎず、本願を限定するものではなく、ネットワークアーキテクチャの進化と新たなビジネスシナリオの出現に伴い、本願が提供する技術的解決策が、類似の技術的課題に対して同様に適用されることは、当業者にとって明らかである。
【００１９】
以下、本願に関連する技術を紹介する。
【００２０】
現在のＮＲ設計では、１つの端末が複数の下りＤＬ ＢＷＰまたは上りＵＬ ＢＷＰを構成でき、ＤＣＩ /メディアアクセス制御層制御部ＭＡＣ ＣＥなどによって異なるＢＷＰ上で相対的に動的に伝送できる。
【００２１】
しかしながら、現在の位相トラッキング参照信号( Ｐｈａｓｅ−ｔｒａｃｋｉｎｇ ｒｅｆｅｒｅｎｃｅ ｓｉｇｎａｌｓ、ＰＴ−ＲＳ )パラメータ構成では、いくつかのパラメータが既にＢＷＰに対して構成されており、すなわち、関連するパラメータ構成が異なるＢＷＰに対して独立して行われているが、一部のパラメータは構成されなく、これはＰＴ−ＲＳの使用の柔軟性に影響を与える。
【００２２】
上記課題に対し、本願の実施例では、以下の実施例を提示し、添付図面を参照して詳細に説明する。
【００２３】
図２を参照すると、図２は、本願の実施例によるパラメータ構成方法であって、上述した通信システムの例に適用され、以下のステップを含む。
【００２４】
２０１において、ネットワークデバイスが位相トラッキング参照信号ＰＴ−ＲＳの予め設定されたパラメータを端末に指示し、前記ＰＴ−ＲＳの予め設定されたパラメータは、前記端末の帯域幅部分ＢＷＰに対して設定されたものであり、前記予め設定されたパラメータは、前記端末が前記ＢＷＰにおいて前記ＰＴ−ＲＳを送信する時に使用される必要があるリソース情報を示す。
【００２５】
ここで、前記ＰＴ−ＲＳは、システム性能に対する位相雑音の影響を抑制するために用いられる。
【００２６】
具体的に、前記ネットワークデバイスは、無線リソース制御ＲＲＣシグナリングを介して位相トラッキング参照信号ＰＴ−ＲＳの予め設定されたパラメータを端末に指示することができる。
【００２７】
このように、本願の実施例では、ネットワークデバイスが位相トラッキング参照信号ＰＴ−ＲＳの予め設定されたパラメータを端末に指示し、ＰＴ−ＲＳの予め設定されたパラメータは、端末の帯域幅部分ＢＷＰに構成したものであり、予め設定されたパラメータは、端末がＢＷＰにおいてＰＴ−ＲＳを送信する時に使用されるリソース情報を示す。予め設定されたパラメータにより、端末がＢＷＰでＰＴ−ＲＳを送信する際に使用するリソース情報を決定することができるため、端末は、ＢＷＰを切り替える際に、使用するＢＷＰに対応するＰＴ−ＲＳの予め設定されたパラメータを取得するだけで、ＰＴ−ＲＳを送信する際に使用するリソース情報を柔軟に決定することができ、ＰＴ−ＲＳによるＢＷＰの構成の柔軟性を高める上で有利となる。例えば、異なる帯域幅部分ＢＷＰでは、１つの端末が、異なる端末とマルチユーザマルチ入力マルチ出力ＭＵ−ＭＩＭＯのペアリング(略称、ユーザペアリング)を行うことができ、ネットワークデバイスは、異なるＢＷＰに対して異なるＰＴ−ＲＳの予め設定されたパラメータを構成することができ、異なるＢＷＰで他の端末とのマルチユーザペアリングをより柔軟に行うことができる。
【００２８】
ある実現可能な形態において、前記予め設定されたパラメータが１つ以上であり、各予め設定されたパラメータが１つ以上のＢＷＰが対応する。
【００２９】
ある実現可能な形態において、前記ＰＴ−ＲＳは、下りＤＬ ＰＴ−ＲＳ又は上りＵＬ ＰＴ−ＲＳを含む。
【００３０】
ある実現可能な形態において、前記予め設定されたパラメータが少なくとも１つのリソースブロックＲＢオフセットパラメータを含み、前記ＲＢオフセットパラメータは、前記端末が前記ＢＷＰにおいて前記ＰＴ−ＲＳを送信する時に使用される物理リソースブロックＰＲＢ位置を示す。
【００３１】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個のリソースブロックＲＢオフセットパラメータを構成し、１つのリソースブロックＲＢオフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応するリソースブロックＲＢオフセットパラメータを選択し、ＰＴ−ＲＳで使用するＲＢ位置を決定する。
【００３２】
このように、この例では、異なるＢＷＰに対してリソースブロックＲＢオフセットパラメータを独立に構成することで、ＰＴ−ＲＳ伝送のためのＲＢ位置を異なるＢＷＰに、より柔軟に構成することができる。
【００３３】
ある実現可能な形態において、前記予め設定されたパラメータが少なくとも１つのリソースユニットＲＥオフセットパラメータを含み、前記少なくとも１つのＲＥオフセットパラメータは、前記端末が前記ＢＷＰにおいて前記ＰＴ−ＲＳを送信する時に使用されるＲＥ位置を示す。
【００３４】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個のＲＥオフセットパラメータを構成し、１つのＲＥオフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応するＲＥオフセットパラメータを選択し、ＰＴ−ＲＳで使用するＲＥ位置を決定する。
【００３５】
このように、この例では、異なるＢＷＰに対してＲＥオフセットパラメータを独立に構成することで、ＰＴ−ＲＳ伝送に用いるＲＥ位置を、異なるＢＷＰに、より柔軟に構成することができる。
【００３６】
ある実現可能な形態において、前記予め設定されたパラメータが少なくとも１つの電力オフセットパラメータを含み、前記少なくとも１つの電力オフセットパラメータは、前記端末が前記ＢＷＰにおいて前記ＰＴ−ＲＳを送信する時の電力を示す。
【００３７】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個の電力オフセットパラメータを構成し、１つの電力オフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応する電力オフセットパラメータを選択し、ＰＴ−ＲＳで使用する電力を決定する。
【００３８】
このように、この例では、異なるＢＷＰに対して独立して電力オフセットパラメータを構成することで、ＰＴ−ＲＳ伝送の電力を、異なるＢＷＰに柔軟に構成することができる。
【００３９】
ある実現可能な形態において、前記ネットワークデバイスは、端末が離散フーリエ変換を用いた拡張直交周波数分割多重技術ＤＦＴ−Ｓ−ＯＦＤＭ方式を使用するように構成し、前記ＰＴ−ＲＳが上りＵＬ ＰＴ−ＲＳである。
【００４０】
ここで、前記ＤＦＴ−Ｓ−ＯＦＤＭは、変換符号化Ｔｒａｎｓｆｏｒｍ ｐｒｅｃｏｄｉｎｇ技術に対応する。
【００４１】
このように、この例では、ＤＦＴ−Ｓ−ＯＦＤＭ方式をサポートする端末に対して、ＵＬ ＰＴ−ＲＳの予め設定されたパラメータを、異なるＢＷＰに対して独立に構成することで、ＵＬ ＰＴ−ＲＳ伝送のためのリソース情報を、異なるＢＷＰに、より柔軟に構成することができる。
【００４２】
ある実現可能な形態において、前記予め設定されたパラメータが時間領域密度を含み、前記時間領域密度は、前記端末が前記ＢＷＰにおいて前記ＰＴ−ＲＳを送信する時の時間領域位置を決定するために使用される。
【００４３】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個の時間領域密度を構成し、１つの時間領域密度は、１又は複数のＢＷＰに対応する。ネットワークデバイスは、シグナリングを介してあるＢＷＰが活性化されたことを端末に通知されると、端末は、その対応関係から、その活性化されたＢＷＰに対応する時間領域密度を選択し、ＰＴ−ＲＳで使用する時間領域位置を決定する。
【００４４】
このように、この例では、異なるＢＷＰに対して時間領域密度を独立に構成することで、ＰＴ−ＲＳ伝送のための時間領域位置を、異なるＢＷＰに、より柔軟に構成することができる。
【００４５】
図２の実施例と同様に、図３を参照すると、図３は本願の実施例における他のパラメータ構成方法であり、上記の通信システムに応用され、この方法は以下のステップを含む。
【００４６】
３０１において、端末がネットワークデバイスからの位相トラッキング参照信号ＰＴ−ＲＳの予め設定されたパラメータを受信し、前記ＰＴ−ＲＳの予め設定されたパラメータは、前記端末の帯域幅部分ＢＷＰに対して設定されたものであり、前記予め設定されたパラメータは、前記端末が前記ＢＷＰにおいて前記ＰＴ−ＲＳを送信する時に使用される必要があるリソース情報を示す。
【００４７】
このように、本願の実施例では、ＰＴ−ＲＳの予め設定されたパラメータにより、端末がＢＷＰでＰＴ−ＲＳを送信する際に使用するリソース情報を指示することができるため、端末は、ＢＷＰを切り替える際に、この予め設定されたパラメータを取得するだけで、使用されるＢＷＰにＰＴ−ＲＳを送信するリソース情報を正確に決定することができ、ＰＴ−ＲＳによるＢＷＰの構成の柔軟性を高める上で有利となる。例えば、異なる帯域幅部分ＢＷＰでは、１つの端末が、異なる端末とマルチユーザマルチ入力マルチ出力ＭＵ−ＭＩＭＯのペアリングを行うことができ、ネットワークデバイスは、異なるＢＷＰに対して異なるＰＴ−ＲＳの予め設定されたパラメータを構成することができ、異なるＢＷＰで他の端末とのマルチユーザペアリングをより柔軟に行うことができる。
【００４８】
ある実現可能な形態において、前記予め設定されたパラメータが１つ以上であり、各予め設定されたパラメータが１つ以上のＢＷＰが対応する。
【００４９】
ある実現可能な形態において、前記ＰＴ−ＲＳは、下りＤＬ ＰＴ−ＲＳ又は上りＵＬ ＰＴ−ＲＳを含む。
【００５０】
ある実現可能な形態において、前記予め設定されたパラメータが少なくとも１つのリソースブロックＲＢオフセットパラメータを含み、前記方法は、さらに、前記端末が前記ＲＢオフセットパラメータに基づいて前記ＢＷＰにおいて前記ＰＴ−ＲＳを送信する時に使用される物理リソースブロックＰＲＢ位置を決定することを含む。
【００５１】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個のリソースブロックＲＢオフセットパラメータを構成し、１つリソースブロックＲＢオフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応するリソースブロックＲＢオフセットパラメータを選択し、ＰＴ−ＲＳで使用するＲＢ位置を決定する。
【００５２】
このように、この例では、異なるＢＷＰに対してリソースブロックＲＢオフセットパラメータを独立に構成することで、ＰＴ−ＲＳ伝送のためのＲＢ位置を異なるＢＷＰに、より柔軟に構成することができる。
【００５３】
ある実現可能な形態において、前記予め設定されたパラメータが少なくとも１つのリソースユニットＲＥオフセットパラメータを含み、前記方法は、さらに、前記端末が前記少なくとも１つのＲＥオフセットパラメータに基づいて、前記ＢＷＰにおいて前記ＰＴ−ＲＳを送信する時に使用されるＲＥ位置を決定することを含む。
【００５４】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個のＲＥオフセットパラメータを構成し、１つＲＥオフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応するＲＥオフセットパラメータを選択し、ＰＴ−ＲＳで使用するＲＥ位置を決定する。
【００５５】
このように、この例では、異なるＢＷＰに対してＲＥオフセットパラメータを独立に構成することで、ＰＴ−ＲＳ伝送のためのＲＥ位置を異なるＢＷＰに、より柔軟に構成することができる。
【００５６】
ある実現可能な形態において、前記予め設定されたパラメータが少なくとも１つの電力オフセットパラメータを含み、前記方法は、さらに、前記端末が前記少なくとも１つの電力オフセットパラメータに基づいて、前記ＢＷＰにおいて前記ＰＴ−ＲＳを送信する時の電力を決定することを含む。
【００５７】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個の電力オフセットパラメータを構成し、１つ電力オフセットパラメータは、１又は複数のＢＷＰに対応する。ネットワークデバイスは、シグナリングを介してあるＢＷＰが活性化されたことを端末に通知されると、端末は、その対応関係から、その活性化されたＢＷＰに対応する電力オフセットパラメータを選択し、ＰＴ−ＲＳで使用する電力を決定する。
【００５８】
このように、この例では、異なるＢＷＰに対して電力オフセットパラメータを独立して構成することで、ＰＴ−ＲＳ伝送の電力を、異なるＢＷＰに柔軟に構成することができる。
【００５９】
ある実現可能な形態において、前記端末が離散フーリエ変換を用いた拡張直交周波数分割多重技術ＤＦＴ−Ｓ−ＯＦＤＭ方式を使用し、前記ＰＴ−ＲＳが上りＵＬ ＰＴ−ＲＳである。
【００６０】
ここで、前記ＤＦＴ−Ｓ−ＯＦＤＭは、変換符号化Ｔｒａｎｓｆｏｒｍ ｐｒｅｃｏｄｉｎｇ技術に対応する。
【００６１】
このように、この例では、ＤＦＴ−Ｓ−ＯＦＤＭ方式をサポートする端末に対して、ＵＬ ＰＴ−ＲＳの予め設定されたパラメータを、異なるＢＷＰに対して独立に構成することで、ＵＬ ＰＴ−ＲＳ伝送のためのリソース情報を、異なるＢＷＰに、より柔軟に構成することができる。
【００６２】
ある実現可能な形態において、前記予め設定されたパラメータが時間領域密度を含み、前記方法は、さらに、前記端末が前記時間領域密度に基づいて、前記ＢＷＰにおいて前記ＰＴ−ＲＳを送信する時の時間領域位置を決定することを含む。
【００６３】
例えば、ネットワークデバイスは、端末にＭ個の帯域幅部分ＢＷＰ (上りＢＷＰでも下りＢＷＰでもよい)を構成し、ＰＴ−ＲＳに対して、ネットワークデバイスは、端末にＮ ( Ｎ ＜ ＝ Ｍ )個の時間領域密度を構成し、１つの時間領域密度は、１又は複数のＢＷＰに対応する。ネットワークデバイスは、シグナリングを介してあるＢＷＰが活性化されたことを端末に通知されると、端末は、その対応関係から、その活性化されたＢＷＰに対応する時間領域密度を選択し、ＰＴ−ＲＳで使用する時間領域位置を決定する。
【００６４】
このように、この例では、異なるＢＷＰに対して時間領域密度を独立に構成することで、ＰＴ−ＲＳ伝送のための時間領域位置を、異なるＢＷＰに、より柔軟に構成することができる。
【００６５】
図２及び図３の実施例に対応して、図４を参照すると、図４は、本願の実施例によって提供されるパラメータ構成方法であり、上述の例示的な通信システムに適用され、この方法は以下のステップを含む。
【００６６】
４０１において、ネットワークデバイスが位相トラッキング参照信号ＰＴ−ＲＳの予め設定されたパラメータを端末に指示し、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【００６７】
４０２において、端末がネットワークデバイスからの位相トラッキング参照信号ＰＴ−ＲＳの予め設定されたパラメータを受信し、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【００６８】
このように、本願の実施例では、ネットワークデバイスが位相トラッキング参照信号ＰＴ−ＲＳの予め設定されたパラメータを端末に指示し、ＰＴ−ＲＳの予め設定されたパラメータは、端末の帯域幅部分ＢＷＰに構成したものであり、予め設定されたパラメータは、端末がＢＷＰにおいてＰＴ−ＲＳを送信する時に使用されるリソース情報を示す。予め設定されたパラメータにより、端末がＢＷＰでＰＴ−ＲＳを送信する際に使用するリソース情報を決定することができるため、端末は、ＢＷＰを切り替える際に、使用するＢＷＰに対応するＰＴ−ＲＳの予め設定されたパラメータを取得するだけで、ＰＴ−ＲＳを送信する際に使用するリソース情報を柔軟に決定することができ、ＰＴ−ＲＳによるＢＷＰの構成の柔軟性を高める上で有利となる。例えば、異なる帯域幅部分ＢＷＰでは、１つの端末が、異なる端末とマルチユーザマルチ入力マルチ出力ＭＵ−ＭＩＭＯのペアリング(略称、ユーザペアリング)を行うことができ、ネットワークデバイスは、異なるＢＷＰに対して異なるＰＴ−ＲＳの予め設定されたパラメータを構成することができ、異なるＢＷＰで他の端末とのマルチユーザペアリングをより柔軟に行うことができる。
【００６９】
上述の実施例と一致する図５を参照すると、図５は、本願の実施例によって提供されるネットワークデバイスの構造の概略図であり、第１のネットワークデバイスとして、プロセッサと、メモリと、送受信機と、１つ以上のプログラムとを備え、１つ以上のプログラムは、メモリに記憶され、プロセッサによって実行されるように構成され、プログラムは、以下のステップを実行するための命令を含む。
【００７０】
位相トラッキング参照信号ＰＴ−ＲＳの予め設定されたパラメータを端末に指示し、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【００７１】
このように、本願の実施例では、ネットワークデバイスが位相トラッキング参照信号ＰＴ−ＲＳの予め設定されたパラメータを端末に指示し、ＰＴ−ＲＳの予め設定されたパラメータは、端末の帯域幅部分ＢＷＰに構成したものであり、予め設定されたパラメータは、端末がＢＷＰにおいてＰＴ−ＲＳを送信する時に使用されるリソース情報を示す。予め設定されたパラメータにより、端末がＢＷＰでＰＴ−ＲＳを送信する際に使用するリソース情報を決定することができるため、端末は、ＢＷＰを切り替える際に、使用するＢＷＰに対応するＰＴ−ＲＳの予め設定されたパラメータを取得するだけで、ＰＴ−ＲＳを送信する際に使用するリソース情報を柔軟に決定することができ、ＰＴ−ＲＳによるＢＷＰの構成の柔軟性を高める上で有利となる。例えば、異なる帯域幅部分ＢＷＰでは、１つの端末が、異なる端末とマルチユーザマルチ入力マルチ出力ＭＵ−ＭＩＭＯのペアリング(略称、ユーザペアリング)を行うことができ、ネットワークデバイスは、異なるＢＷＰに対して異なるＰＴ−ＲＳの予め設定されたパラメータを構成することができ、異なるＢＷＰで他の端末とのマルチユーザペアリングをより柔軟に行うことができる。
【００７２】
ある実現可能な形態において、前記予め設定されたパラメータが１つ以上であり、各予め設定されたパラメータが１つ以上のＢＷＰが対応する。
【００７３】
ある実現可能な形態において、前記ＰＴ−ＲＳは、下りＤＬ ＰＴ−ＲＳ又は上りＵＬ ＰＴ−ＲＳを含む。
【００７４】
ある実現可能な形態において、前記予め設定されたパラメータが少なくとも１つのリソースブロックＲＢオフセットパラメータを含み、前記少なくとも１つのリソースブロックＲＢオフセットパラメータは、前記端末が前記ＢＷＰにおいて前記ＰＴ−ＲＳを送信する時に使用される物理リソースブロックＰＲＢ位置を示す。
【００７５】
ある実現可能な形態において、前記予め設定されたパラメータが少なくとも１つのリソースユニットＲＥオフセットパラメータを含み、前記少なくとも１つのＲＥオフセットパラメータは、前記端末が前記ＢＷＰにおいて前記ＰＴ−ＲＳを送信する時に使用されるＲＥ位置を示す。
【００７６】
ある実現可能な形態において、前記予め設定されたパラメータが少なくとも１つの電力オフセットパラメータを含み、前記少なくとも１つの電力オフセットパラメータは、前記端末が前記ＢＷＰにおいて前記ＰＴ−ＲＳを送信する時の電力を示す。
【００７７】
ある実現可能な形態において、前記ネットワークデバイスは、端末が離散フーリエ変換を用いた拡張直交周波数分割多重技術ＤＦＴ−Ｓ−ＯＦＤＭ方式を使用するように構成し、前記ＰＴ−ＲＳが上りＵＬ ＰＴ−ＲＳである。
【００７８】
ある実現可能な形態において、前記予め設定されたパラメータが時間領域密度を含み、前記時間領域密度は、前記端末が前記ＢＷＰにおいて前記ＰＴ−ＲＳを送信する時の時間領域位置を決定するために使用される。
【００７９】
上述の実施例と同様に、図６を参照し、図６は本願の実施例における端末の構造を示す概略図であり、この端末は、プロセッサと、メモリと、通信インターフェースと、１つ以上のプログラムとを備え、ここで、１つ以上のプログラムはメモリに記憶され、プロセッサによって実行されるように構成され、プログラムは、以下のステップを実行するための命令を含む。
【００８０】
ネットワークデバイスからの位相トラッキング参照信号ＰＴ−ＲＳの予め設定されたパラメータを受信し、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【００８１】
このように、本願の実施例では、ＰＴ−ＲＳの予め設定されたパラメータにより、端末がＢＷＰでＰＴ−ＲＳを送信する際に使用するリソース情報を指示することができるため、端末は、ＢＷＰを切り替える際に、この予め設定されたパラメータを取得するだけで、使用されるＢＷＰにＰＴ−ＲＳを送信するリソース情報を正確に決定することができ、ＰＴ−ＲＳによるＢＷＰの構成の柔軟性を高める上で有利となる。例えば、異なる帯域幅部分ＢＷＰでは、１つの端末が、異なる端末とマルチユーザマルチ入力マルチ出力ＭＵ−ＭＩＭＯのペアリングを行うことができ、ネットワークデバイスは、異なるＢＷＰに対して異なるＰＴ−ＲＳの予め設定されたパラメータを構成することができ、異なるＢＷＰで他の端末とのマルチユーザペアリングをより柔軟に行うことができる。
【００８２】
ある実現可能な形態において、前記予め設定されたパラメータが１つ以上であり、各予め設定されたパラメータが１つ以上のＢＷＰが対応する。
【００８３】
ある実現可能な形態において、前記ＰＴ−ＲＳは、下りＤＬ ＰＴ−ＲＳ又は上りＵＬ ＰＴ−ＲＳを含む。
【００８４】
ある実現可能な形態において、前記予め設定されたパラメータが少なくとも１つのリソースブロックＲＢオフセットパラメータを含み、前記プログラムは、前記少なくとも１つのＲＢオフセットパラメータに基づいて、前記ＢＷＰにおいて前記ＰＴ−ＲＳ送信する時に使用される物理リソースブロックＰＲＢ位置を決定する命令を含む。
【００８５】
ある実現可能な形態において、前記予め設定されたパラメータが少なくとも１つのリソースユニットＲＥオフセットパラメータを含み、前記プログラムは、前記少なくとも１つのＲＥオフセットパラメータに基づいて前記ＢＷＰにおいて前記ＰＴ−ＲＳを送信する時に使用されるＲＥ位置を決定する命令を含む。
【００８６】
ある実現可能な形態において、前記予め設定されたパラメータが少なくとも１つの電力オフセットパラメータを含み、前記プログラムは、前記少なくとも１つの電力オフセットパラメータに基づいて前記ＢＷＰにおいて前記ＰＴ−ＲＳを送信する時の電力を決定する命令を含む。
【００８７】
ある実現可能な形態において、前記端末が離散フーリエ変換を用いた拡張直交周波数分割多重技術ＤＦＴ−Ｓ−ＯＦＤＭ方式を使用し、前記ＰＴ−ＲＳが上りＵＬ ＰＴ−ＲＳである。
【００８８】
ある実現可能な形態において、前記予め設定されたパラメータが時間領域密度を含み、前記プログラムは、前記時間領域密度に基づいて前記ＢＷＰにおいて前記ＰＴ−ＲＳを送信する時の時間領域位置を決定する命令を含む。
【００８９】
以上、主に各ネットワーク要素間のインタラクションという観点から本願実施例の仕組みを紹介した。端末及びネットワークデバイスは、上記機能を実現するために、それぞれの機能を実行するためのハードウェア構成及び/又はソフトウェアモジュールを含むことが理解されよう。当業者は、本明細書に開示される実施例に関連して説明される様々な例のユニットおよびアルゴリズムステップが、ハードウェアまたはハードウェアとコンピュータソフトウェアとの組合せの形態で本願が実施され得ることを容易に認識するであろう。ある機能がハードウェアで実行されるか、コンピュータソフトウェアドライバハードウェアで実行されるかは、特許請求の範囲の特定のアプリケーション及び設計制約に依存する。当業者は、説明された機能を実施するために、特定のアプリケーションごとに異なる方法を使用することができるが、そのような実施は、本願の範囲を超えると考えられるべきではない。
【００９０】
本願の実施例は、上記の方法例に従って端末及びネットワークデバイスを機能ユニットに分割してもよく、例えば、各機能ユニットを各機能に応じて分割してもよく、２つ以上の機能を１つの処理ユニットに統合してもよい。上記の統合されたユニットは、ハードウェアの形態で実現されてもよいし、ソフトウェアプログラムモジュールの形態で実現されてもよい。なお、本願実施例におけるユニットの分割は模式的なものであり、一の論理的な機能分割のみのものであり、実際の実現には別の分割形態があり得る。
【００９１】
図７は、統合ユニットを用いる場合において、上記実施例に係るネットワークデバイス、すなわち第１のネットワークデバイスの機能構成の一例を示すブロック図である。ネットワークデバイス７００は、処理ユニット７０２と、通信ユニット７０３とを備える。処理ユニット７０２は、ネットワークデバイスの動作を制御管理するために使用され、例えば、処理ユニット７０２は、図２のステップ２０１、ネットワークデバイスが図４のステップ４０１、及び/又は本明細書に記載される技術のための他のプロセスを実行することをサポートするために使用される。通信ユニット７０３は、ネットワークデバイスと他の装置、例えば図６に示す端末との通信をサポートするためのものである。また、ネットワークデバイスは、ネットワークデバイスのプログラムコード及びデータを記憶するための記憶ユニット７０１を含んでもよい。
【００９２】
ここで、処理ユニット７０２は、プロセッサ又はコントローラであってよく、通信ユニット７０３は、送受信機、送受信回路、無線周波数チップ等であってよく、記憶ユニット７０１は、メモリであってよい。
【００９３】
ここで、前記処理ユニット７０２は、前記通信ユニットを介して端末に位相トラッキング参照信号ＰＴ−ＲＳの予め設定されたパラメータを指示し、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【００９４】
ある実現可能な形態において、前記予め設定されたパラメータが１つ以上であり、各予め設定されたパラメータが１つ以上のＢＷＰが対応する。
【００９５】
ある実現可能な形態において、前記ＰＴ−ＲＳは、下りＤＬ ＰＴ−ＲＳ又は上りＵＬ ＰＴ−ＲＳを含む。
【００９６】
ある実現可能な形態において、前記予め設定されたパラメータが少なくとも１つのリソースブロックＲＢオフセットパラメータを含み、前記少なくとも１つのリソースブロックＲＢオフセットパラメータは、前記端末が前記ＢＷＰにおいて前記ＰＴ−ＲＳを送信する時に使用される物理リソースブロックＰＲＢ位置を示す。
【００９７】
ある実現可能な形態において、前記予め設定されたパラメータが少なくとも１つのリソースユニットＲＥオフセットパラメータを含み、前記少なくとも１つのＲＥオフセットパラメータは、前記端末が前記ＢＷＰにおいて前記ＰＴ−ＲＳを送信する時に使用されるＲＥ位置を示す。
【００９８】
ある実現可能な形態において、前記予め設定されたパラメータが少なくとも１つの電力オフセットパラメータを含み、前記少なくとも１つの電力オフセットパラメータは、前記端末が前記ＢＷＰにおいて前記ＰＴ−ＲＳを送信する時の電力を示す。
【００９９】
ある実現可能な形態において、前記ネットワークデバイスは、端末が離散フーリエ変換を用いた拡張直交周波数分割多重技術ＤＦＴ−Ｓ−ＯＦＤＭ方式を使用するように構成し、前記ＰＴ−ＲＳが上りＵＬ ＰＴ−ＲＳである。
【０１００】
ある実現可能な形態において、前記予め設定されたパラメータが時間領域密度を含み、前記時間領域密度は、前記端末が前記ＢＷＰにおいて前記ＰＴ−ＲＳを送信する時の時間領域位置を決定するために使用される。
【０１０１】
処理ユニット７０２がプロセッサであり、通信ユニット７０３が通信インタフェースであり、記憶ユニット７０１がメモリである場合、本願の実施例に係るネットワークデバイスは、図５に示すネットワークデバイスであってもよい。
【０１０２】
統合ユニットを用いる場合において、図８は、上記実施例に係る端末デバイスの機能的な構成を示すブロック図である。端末８００は、処理ユニット８０２と、通信ユニットとを備える。処理ユニット８０２は、端末の動作を制御管理するために使用され、例えば、処理ユニット８０２は、端末が図３のステップ３０１、図４のステップ４０２、及び/又は本明細書に記載される技術のための他のプロセスを実行することをサポートするために使用される。通信ユニット８０３は、端末と他の装置との通信、例えば、図５に示すネットワークデバイスとの通信をサポートするためのものである。端末は、端末のプログラムコード及びデータを記憶するための記憶ユニット８０１を更に含むことができる。
【０１０３】
ここで、処理ユニット８０２は、プロセッサ又はコントローラであってよく、例えば、中央処理装置( Ｃｅｎｔｒａｌ Ｐｒｏｃｅｓｓｉｎｇ Ｕｎｉｔ、ＣＰＵ )、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ−Ｓｐｅｃｉｆｉｃ Ｉｎｔｅｇｒａｔｅｄ Ｃｉｒｃｕｉｔ、ＡＳＩＣ )、フィールドプログラマブルゲートアレイ( Ｆｉｅｌｄ Ｐｒｏｇｒａｍｍａｂｌｅ Ｇａｔｅ Ａｒｒａｙ、ＦＰＧＡ )、又は他のプログラマブル論理デバイス、トランジスタロジックデバイス、ハードウェアコンポーネント、又はこれらの任意の組み合わせであってよい。本願に関連して説明された様々な例示的な論理ブロック、モジュール、および回路を実装または実行することができる。プロセッサはまた、例えば、１つ以上のマイクロプロセッサの組み合わせ、ＤＳＰとマイクロプロセッサの組み合わせなどを含む、計算機能を実装する組み合わせであってもよい。通信ユニット８０３は、送受信回路等であり、記憶ユニット８０１は、メモリ等である。
【０１０４】
ここで、前記処理ユニット８０２は、ネットワークデバイスからの位相トラッキング参照信号ＰＴ−ＲＳの予め設定されたパラメータを受信するように構成され、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す。
【０１０５】
ある実現可能な形態において、前記予め設定されたパラメータが１つ以上であり、各予め設定されたパラメータが１つ以上のＢＷＰが対応する。
【０１０６】
ある実現可能な形態において、前記ＰＴ−ＲＳは、下りＤＬ ＰＴ−ＲＳ又は上りＵＬ ＰＴ−ＲＳを含む。
【０１０７】
ある実現可能な形態において、前記予め設定されたパラメータが少なくとも１つのリソースブロックＲＢオフセットパラメータを含み、前記処理ユニット８０２は、さらに、前記少なくとも１つのＲＢオフセットパラメータに基づいて前記ＢＷＰにおいて前記ＰＴ−ＲＳを送信する時に使用される物理リソースブロックＰＲＢ位置を決定するように構成される。
【０１０８】
ある実現可能な形態において、前記予め設定されたパラメータが少なくとも１つのリソースユニットＲＥオフセットパラメータを含み、前記処理ユニット８０２は、さらに、前記少なくとも１つのＲＥオフセットパラメータに基づいて前記ＢＷＰにおいて前記ＰＴ−ＲＳを送信する時に使用されるＲＥ位置を決定するように構成される。
【０１０９】
ある実現可能な形態において、前記予め設定されたパラメータが少なくとも１つの電力オフセットパラメータを含み、前記処理ユニット８０２は、さらに、前記少なくとも１つの電力オフセットパラメータに基づいて前記ＢＷＰにおいて前記ＰＴ−ＲＳを送信する時の電力を決定するように構成される。
【０１１０】
ある実現可能な形態において、前記端末が離散フーリエ変換を用いた拡張直交周波数分割多重技術ＤＦＴ−Ｓ−ＯＦＤＭ方式を使用し、前記ＰＴ−ＲＳが上りＵＬ ＰＴ−ＲＳである。
【０１１１】
ある実現可能な形態において、前記予め設定されたパラメータが時間領域密度を含み、前記処理ユニット８０２は、さらに、前記時間領域密度に基づいて前記ＢＷＰにおいて前記ＰＴ−ＲＳを送信する時の時間領域位置を決定するように構成される。
【０１１２】
処理ユニット８０２がプロセッサであり、通信ユニット８０３が通信インタフェースであり、記憶ユニット８０１がメモリである場合、本願の実施例に係る端末は、図６に示す端末であってもよい。
【０１１３】
本願の実施例は、電子データ交換のためのコンピュータプログラムを記憶するコンピュータ可読記憶媒体をさらに提供し、コンピュータプログラムは、コンピュータに、上述の方法の実施例の端末に記載されるステップの一部又は全部を実行させる。
【０１１４】
本願の実施例は、電子データ交換のためのコンピュータプログラムを記憶するコンピュータ可読記憶媒体をさらに提供し、コンピュータプログラムは、コンピュータに、上述の方法の実施例におけるネットワークデバイスによって説明されるステップの一部又は全部を実行させる。
【０１１５】
本願の実施例は、コンピュータプログラムを記憶する非一時的コンピュータ可読記憶媒体を含むコンピュータプログラム製品をさらに提供し、コンピュータプログラムは、上述の方法の実施例の端末に記載されるステップの一部又は全部をコンピュータに実行させるように動作可能である。また、前記コンピュータプログラムは、ソフトウェアのインストールパッケージであってもよい。
【０１１６】
本願の実施例は、コンピュータプログラムを記憶する非一時的コンピュータ可読記憶媒体を含むコンピュータプログラム製品をさらに提供し、コンピュータプログラムは、上述の方法の実施例のネットワークデバイスに記載されるステップの一部又は全部をコンピュータに実行させるように動作可能である。また、前記コンピュータプログラムは、ソフトウェアのインストールパッケージであってもよい。
【０１１７】
本願の実施例に記載された方法またはアルゴリズムのステップは、ハードウェアで実現されてもよく、プロセッサがソフトウェア命令を実行する方式で実現されてもよい。ソフトウェア命令は、ランダムアクセスメモリ( Ｒａｎｄｏｍ Ａｃｃｅｓｓ Ｍｅｍｏｒｙ、ＲＡＭ )、フラッシュメモリ、リードオンリーメモリ( Ｒｅａｄ Ｏｎｌｙ Ｍｅｍｏｒｙ、ＲＯＭ )、消去可能プログラマブルリードオンリーメモリ( Ｅｒａｓａｂｌｅ Ｐｒｏｇｒａｍｍａｂｌｅ ＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、レジスタ、ハードディスク、モバイルハードディスク、リードオンリーディスク( ＣＤ−ＲＯＭ )、または当技術分野で周知の任意の他の形態の記憶媒体に格納され得る、対応するソフトウェアモジュールから構成され得る。例示的な記憶媒体は、プロセッサが記憶媒体から情報を読み取り、記憶媒体に情報を書き込むことを可能にするように、プロセッサに結合される。もちろん、記憶媒体はプロセッサの一部であってもよい。プロセッサおよび記憶媒体は、ＡＳＩＣ内に構成され得る。また、ＡＳＩＣは、アクセスネットワークデバイス、ターゲットネットワークデバイス、またはコアネットワークデバイス内に構成され得る。もちろん、プロセッサおよび記憶媒体は、アクセスネットワークデバイス、ターゲットネットワークデバイス、またはコアネットワークデバイス内に個別構成要素として存在してもよい。
【０１１８】
当業者は、上述の１つ以上の例において、本願の実施例に記載される機能が、ソフトウェア、ハードウェア、ファームウェア、またはそれらの任意の組合せによって、全体的にまたは部分的に実装され得ることを認識するであろう。ソフトウェアで実装する場合、全体的に又は部分的にコンピュータプログラム製品の形態で実装することができる。コンピュータプログラム製品は、１つ以上のコンピュータ命令を含む。コンピュータプログラム命令は、コンピュータ上でロードされ実行されると、本願の実施例にしたがったフローまたは機能を全体的にまたは部分的に生成する。コンピュータは、汎用コンピュータ、専用コンピュータ、コンピュータネットワーク、又は他のプログラム可能な装置であってもよい。コンピュータ命令は、コンピュータ可読記憶媒体に記憶されてもよく、または、例えば、１つのウェブサイト、コンピュータ、サーバ、またはデータセンターから、別のウェブサイト、コンピュータ、サーバ、またはデータセンターへ、有線(例えば、同軸ケーブル、光ファイバ、デジタル加入者線( Ｄｉｇｉｔａｌ Ｓｕｂｓｃｒｉｂｅｒ Ｌｉｎｅ、ＤＳＬ ) )、または無線(例えば、赤外線、無線、マイクロ波など)手段によって送信されてもよい。コンピュータ可読記憶媒体は、コンピュータによってアクセス可能な任意の利用可能な媒体、または１つ以上の利用可能な媒体と一体化されたサーバ、データセンターなどを含むデータ記憶デバイスであり得る。利用可能な媒体は、磁気媒体(例えば、フロッピーディスク、ハードディスク、磁気テープ)、光学媒体(例えば、デジタルビデオディスク( Ｄｉｇｉｔａｌ Ｖｉｄｅｏ Ｄｉｓｃ、ＤＶＤ ) )、又は半導体媒体(例えば、ソリッドステートドライブ( ＳＳＤ ) )などであってもよい。
【０１１９】
本願の実施例の目的、技術的解決策、および効果を、上記の具体的な実施例についてさらに詳細に説明したが、上記の説明は、本願の実施例の具体的な実施例にすぎず、本願の実施例の保護範囲を制限するものではなく、本願の実施例の技術的解決策に基づいて、本願の実施例の保護範囲内に含まれるあらゆる修正、均等物、および改良がなされるべきであることが理解される。
【図１】
2021515437.tif 000003
【図２】
2021515437.tif 000004
【図３】
2021515437.tif 000005
【図４】
2021515437.tif 000006
【図５】
2021515437.tif 000007
【図６】
2021515437.tif 000008
【図７】
2021515437.tif 000009
【図８】
2021515437.tif 000010
【手続補正書】
【提出日】令和2年12月14日(2020.12.14)
【手続補正１】
【補正対象書類名】特許請求の範囲
【補正対象項目名】全文
【補正方法】変更
【補正の内容】
【特許請求の範囲】
【請求項１】
ネットワークデバイスが位相トラッキング参照信号ＰＴ−ＲＳの予め設定されたパラメータを端末に送信することを含み、前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とするパラメータ構成方法。
【請求項２】
前記ＰＴ−ＲＳは、下りＤＬ ＰＴ−ＲＳ又は上りＵＬ ＰＴ−ＲＳを含む
ことを特徴とする請求項１に記載のパラメータ構成方法。
【請求項３】
前記予め設定されたパラメータが少なくとも１つのリソースユニットＲＥオフセットパラメータを含み、前記少なくとも１つのＲＥオフセットパラメータは、前記端末が前記ＢＷＰにおいて前記ＰＴ−ＲＳを送信する時に使用されるＲＥ位置を示す
ことを特徴とする請求項１又は２に記載のパラメータ構成方法。
【請求項４】
前記予め設定されたパラメータが少なくとも１つの電力オフセットパラメータを含み、前記少なくとも１つの電力オフセットパラメータは、前記端末が前記ＢＷＰにおいて前記ＰＴ−ＲＳを送信する時の電力を示す
ことを特徴とする請求項１又は２に記載のパラメータ構成方法。
【請求項５】
前記ネットワークデバイスは、端末が離散フーリエ変換を用いた拡張直交周波数分割多重技術ＤＦＴ−Ｓ−ＯＦＤＭ方式を使用するように構成し、前記ＰＴ−ＲＳが上りＵＬ ＰＴ−ＲＳである
ことを特徴とする請求項１に記載のパラメータ構成方法。
【請求項６】
前記予め設定されたパラメータが時間領域密度を含み、前記時間領域密度は、前記端末が前記ＢＷＰにおいて前記ＰＴ−ＲＳを送信する時の時間領域位置を決定するために使用される
ことを特徴とする請求項５に記載のパラメータ構成方法。
【請求項７】
端末がネットワークデバイスからの位相トラッキング参照信号ＰＴ−ＲＳの予め設定されたパラメータを受信することを含み、
前記ＰＴ−ＲＳの予め設定されたパラメータは、前記端末の帯域幅部分ＢＷＰに対して構成されたものであり、前記予め設定されたパラメータは、前記端末が前記ＢＷＰにおいて前記ＰＴ−ＲＳを送信する時に使用される必要があるリソース情報を示す
ことを特徴とするパラメータ構成方法。
【請求項８】
前記ＰＴ−ＲＳは、下りＤＬ ＰＴ−ＲＳ又は上りＵＬ ＰＴ−ＲＳを含む
ことを特徴とする請求項７に記載のパラメータ構成方法。
【請求項９】
前記予め設定されたパラメータが少なくとも１つのリソースユニットＲＥオフセットパラメータを含み、前記方法は、さらに、
前記端末が前記少なくとも１つのＲＥオフセットパラメータに基づいて、前記ＢＷＰにおいて前記ＰＴ−ＲＳを送信する時に使用されるＲＥ位置を決定することを含む
ことを特徴とする請求項７又は８に記載のパラメータ構成方法。
【請求項１０】
前記予め設定されたパラメータが少なくとも１つの電力オフセットパラメータを含み、前記方法は、さらに、
前記端末が前記少なくとも１つの電力オフセットパラメータに基づいて、前記ＢＷＰにおいて前記ＰＴ−ＲＳを送信する時の電力を決定することを含む
ことを特徴とする請求項７又は８に記載のパラメータ構成方法。
【請求項１１】
前記端末が離散フーリエ変換を用いた拡張直交周波数分割多重技術ＤＦＴ−Ｓ−ＯＦＤＭ方式を使用し、前記ＰＴ−ＲＳが上りＵＬ ＰＴ−ＲＳである
ことを特徴とする請求項７に記載のパラメータ構成方法。
【請求項１２】
前記予め設定されたパラメータが時間領域密度を含み、前記方法は、さらに、
前記端末が前記時間領域密度に基づいて、前記ＢＷＰにおいて前記ＰＴ−ＲＳを送信する時の時間領域位置を決定することを含む
ことを特徴とする請求項１１に記載のパラメータ構成方法。
【請求項１３】
プロセッサと、メモリと、送受信機と、１つ以上のプログラムとを備え、前記１つ以上のプログラムは、前記メモリに記憶され、前記プロセッサによって実行され、前記プログラムは、請求項１〜６のいずれか１項に記載の方法におけるステップを実行するための命令を含む
ことを特徴とするネットワークデバイス。
【請求項１４】
プロセッサと、メモリと、通信インターフェースと、１つ以上のプログラムとを備え、前記１つ以上のプログラムは、前記メモリに記憶され、前記プロセッサによって実行され、前記プログラムは、請求項７〜１２のいずれか１項に記載の方法におけるステップを実行するための命令を含む
ことを特徴とする端末。
【請求項１５】
電子データ交換のためのコンピュータプログラムを記憶し、前記コンピュータプログラムは、コンピュータに、請求項１から１２のいずれか一項に記載の方法を実行させる
ことを特徴とするコンピュータ可読記憶媒体。
【国際調査報告】
2021515437.tif 000011
2021515437.tif 000012
2021515437.tif 000013
2021515437.tif 000014